(57)【特許請求の範囲】
【請求項１】
ユーザ操作に応じて、画質調整パラメータを取得する取得手段と、
前記取得手段で取得された画質調整パラメータを変更する変更手段と、
前記変更手段による変更後の画質調整パラメータを用いた画質調整処理を入力画像データに施すことにより、処理画像データを生成する画質調整手段と、
前記入力画像データの階調特性を基準特性に変換する階調変換処理を前記処理画像データに施すことにより、出力画像データを生成する変換手段と、
を有し、
前記変更手段は、前記変更手段による変更後の画質調整パラメータとして前記変更手段による変更前の画質調整パラメータと同じ値が得られる場合に比べて、前記変更手段による変更前の画質調整パラメータに対する前記変更手段による変更後の画質調整パラメータの比率である第１比率が第２比率に近づくように、前記取得手段で取得された画質調整パラメータを変更し、
前記第２比率は、前記変更手段による変更後の画質調整パラメータの代わりに前記取得手段で取得された画質調整パラメータを使用すると仮定した場合の、前記出力画像データの階調値に対する前記処理画像データの階調値の比率である
ことを特徴とする画像処理装置。
【請求項２】
前記変更手段は、前記取得手段で取得された画質調整パラメータに前記第２比率を乗算した値に、前記取得手段で取得された画質調整パラメータを変更する
ことを特徴とする請求項１に記載の画像処理装置。
【請求項３】
前記変更手段は、
前記入力画像データの階調特性に基づいて、前記入力画像データの取り得る複数の階調値にそれぞれ対応する複数の第２比率を取得し、
前記変更手段による変更後の画質調整パラメータとして前記変更手段による変更前の画質調整パラメータと同じ値が得られる場合に比べて、前記複数の第２比率を代表する代表比率に前記第１比率が近づくように、前記取得手段で取得された画質調整パラメータを変更する
ことを特徴とする請求項１または２に記載の画像処理装置。
【請求項４】
前記代表比率は、前記複数の第２比率の平均値である
ことを特徴とする請求項３に記載の画像処理装置。
【請求項５】
前記入力画像データに基づいて、前記入力画像データの各画素の階調値を代表する代表階調値を決定する決定手段をさらに有し、
前記変更手段は、
前記決定手段で決定された代表階調値に対応する第２比率を取得し、
前記変更手段による変更後の画質調整パラメータとして前記変更手段による変更前の画質調整パラメータと同じ値が得られる場合に比べて、取得した第２比率に前記第１比率が近づくように、前記取得手段で取得された画質調整パラメータを変更する
ことを特徴とする請求項１または２に記載の画像処理装置。
【請求項６】
前記決定手段は、前記入力画像データの各画素の階調値の平均値を、前記代表階調値として決定する
ことを特徴とする請求項５に記載の画像処理装置。
【請求項７】
前記決定手段は、
前記入力画像データに基づいて、前記入力画像データの階調ヒストグラムを生成し、
前記階調ヒストグラムにおいて度数が最も大きいカテゴリに対応する階調値を、前記代表階調値として決定する
ことを特徴とする請求項５に記載の画像処理装置。
【請求項８】
前記画質調整パラメータは、ＡＳＣ  ＣＤＬで定義された種類の画質調整パラメータを含む
ことを特徴とする請求項１〜７のいずれか１項に記載の画像処理装置。
【請求項９】
前記ＡＳＣ  ＣＤＬで定義された種類は、ＳＬＯＰＥ、ＰＯＷＥＲ、及び、ＯＦＦＳＥＴを含み、
前記変更手段は、
前記入力画像データが取り得る複数の階調値のうち第１階調範囲に属す階調値に対応する第２比率に基づく値に、前記ＳＬＯＰＥの画質調整パラメータを変更し、
前記入力画像データが取り得る複数の階調値のうち前記第１階調範囲よりも低階調側の第２階調範囲に属す階調値に対応する第２比率に基づく値に、前記ＰＯＷＥＲの画質調整パラメータを変更し、
前記入力画像データが取り得る複数の階調値のうち前記第２階調範囲よりも低階調側の第３階調範囲に属す階調値に対応する第２比率に基づく値に、前記ＯＦＦＳＥＴの画質調整パラメータを変更する
ことを特徴とする請求項８に記載の画像処理装置。
【請求項１０】
前記変更手段は、前記ＡＳＣ  ＣＤＬで定義された種類以外の種類の画質調整パラメータについては、画質調整パラメータを変更する処理を省略する
ことを特徴とする請求項８または９に記載の画像処理装置。
【請求項１１】
ユーザ操作に応じて、画質調整パラメータを取得する取得ステップと、
前記取得ステップで取得された画質調整パラメータを変更する変更ステップと、
前記変更ステップによる変更後の画質調整パラメータを用いた画質調整処理を入力画像データに施すことにより、処理画像データを生成する画質調整ステップと、
前記入力画像データの階調特性を基準特性に変換する階調変換処理を前記処理画像データに施すことにより、出力画像データを生成する変換ステップと、
を有し、
前記変更ステップでは、前記変更ステップによる変更後の画質調整パラメータとして前記変更ステップによる変更前の画質調整パラメータと同じ値が得られる場合に比べて、前記変更ステップによる変更前の画質調整パラメータに対する前記変更ステップによる変更後の画質調整パラメータの比率である第１比率が第２比率に近づくように、前記取得ステップで取得された画質調整パラメータを変更し、
前記第２比率は、前記変更ステップによる変更後の画質調整パラメータの代わりに前記取得ステップで取得された画質調整パラメータを使用すると仮定した場合の、前記出力画像データの階調値に対する前記処理画像データの階調値の比率である
ことを特徴とする画像処理方法。
【請求項１２】
請求項１１に記載の画像処理方法の各ステップをコンピュータに実行させるためのプログラム。
【発明の詳細な説明】
【技術分野】
【０００１】
本発明は、画像処理装置、画像処理方法、及び、プログラムに関する。
【背景技術】
【０００２】
一般的に、ビデオカメラなどの撮影装置で撮影された画像データを、モニタなどの画像表示装置に表示する場合、画像データの階調特性を画像表示装置の表示特性に合った階調特性に変換する階調変換処理が行われる。階調特性は、階調値と画像輝度（画像の輝度）との対応関係であり、例えばガンマ特性である。階調特性がガンマ特性である場合には、階調変換処理は“ガンマ変換処理”と言うこともできる。表示特性は、階調値と表示輝度（画面上の輝度）との対応関係である。画像表示装置の表示特性に合った階調特性は、例えば、ガンマ値（ガンマ係数）＝２．２のガンマ特性、ガンマ値＝２．４のガンマ特性、等である。上述したような階調変換処理を行うことにより、画像データを画像表示装置に正確に表示することが可能となる。
【０００３】
また近年、撮影装置の受光性能の向上に伴い、ダイナミックレンジがより広い画像データを撮影可能な撮影装置が増えている。このような撮影装置では、画像データの階調値が所定の範囲内の値（例えば、８ｂｉｔ（０〜２５５）の値）に収まるように、ＬＯＧに近い変換特性で画像データの階調値が変換されることがある。そして、階調値が変換された後の画像データが撮影装置から出力されることがある。以後、ＬＯＧに近い変換特性で階調値が変換された後の画像データの階調特性を、“ＬＯＧガンマ”と記載する。
【０００４】
さらに、画像表示装置には、ユーザ操作に応じて画像データの画質を調整する画質調整機能を有するものがある。そのような画像表示装置では、画像表示装置に設けられた操作部に対するユーザ操作に応じて画質調整パラメータが変更され、変更後の画質調整パラメータを用いた画質調整処理が入力画像データ（画像表示装置に入力された画像データ）に施される。そして、画質調整処理が施された後の画像データ（処理画像データ）に、上述した階調変換処理（ガンマ変換処理）を施すことにより、出力画像データ（表示用画像データ）が生成される。
【０００５】
画像の色の管理方法として、米国映画撮影監督協会によって提案されたＡＳＣ  ＣＤＬ（Ｔｈｅ  Ａｍｅｒｉｃａｎ  Ｓｏｃｉｅｔｙ  ｏｆ  Ｃｉｎｅｍａｔｏｇｒａｐｈｅｒｓ  Ｃｏｌｏｒ  Ｄｅｃｉｓｉｏｎ  Ｌｉｓｔ）がある。以後、ＡＳＣ  ＣＤＬを単に“ＣＤＬ”と記載する。ＣＤＬを用いれば、或る画像表示装置を用いた色編集を行う際に設定された画質調整パラメータを他の画像表示装置に設定することにより、複数の画像表示装置間で画像の表示色（画面上の色）を一致させることができる。
【０００６】
ＣＤＬでは、画質調整パラメータの種類として、ＳＬＯＰＥ、ＯＦＦＳＥＴ、ＰＯＷＥＲ、及び、ＳＡＴＵＲＡＴＩＯＮ、が定義されている。そして、これらの種類の画質調整パラメータを用いて、画像データの画質が調整される。ＳＬＯＰＥの画質調整パラメータは、画像データの各階調値に乗算するゲイン値である。ＯＦＦＳＥＴの画質調整パラメータは、画像データの各階調値に加減算するオフセット値である。ＰＯＷＥＲの画質調整パラメータは、画像データに施すガンマ変換処理（上述したガンマ変換処理とは異なるガンマ変換処理）のガンマ値である。そして、ＳＡＴＵＲＡＴＩＯＮの画質調整パラメータは、画像データの各クロマ値に乗算するクロマゲイン値である。
【０００７】
ここで、画像表示装置には、様々なガンマ特性を有する画像データ（入力画像データ）が入力され得る。例えば、画像制作ワークフローで用いられる画像表示装置には、２．２
ガンマ（ガンマ値＝２．２のガンマ特性）を有する画像データが入力されたり、階調値の変化に対する画像輝度の変化が急峻なガンマ特性を有する画像データが入力されたりする。階調値の変化に対する画像輝度の変化が急峻なガンマ特性は、例えば、上述したＬＯＧガンマである。
【０００８】
そして、従来の画像表示装置には、画質調整パラメータを変更するユーザ操作に応じた出力画像データの階調値の変化（調整感度）が、入力画像データのガンマ特性に依存して変化してしまう、という課題がある。このような調整感度の変化は、ユーザに違和感を与えたり、画質調整パラメータを変更するユーザ操作の操作性を悪化させたりする。例えば、入力画像データのガンマ特性がＬＯＧガンマである場合には、入力画像データのガンマ特性が２．２ガンマである場合に比べ、調整感度が非常に高い。そのため、入力画像データのガンマ特性がＬＯＧガンマである場合には、画質調整パラメータを変更するユーザ操作によって出力画像データの階調値を所望の値に調整することは困難である。
【０００９】
画像表示装置に対するユーザ操作の操作性を向上するための技術は、例えば、特許文献１に開示されている。特許文献１に開示の技術では、画像表示装置に設けられたジョグダイヤルに対するユーザ操作に応じて、動画像が正方向再生されたり、逆転再生されたりする。そして、特許文献１に開示の技術では、最後に再生されたフレームと最初に再生されたフレームとの時間的な距離（時間位置の差分）に応じて、ジョグダイヤルの反応の度合いが自動で変更される。
【００１０】
しかしながら、特許文献１に開示の技術は、動画像から所望のフレームを探索するユーザ操作の操作性を向上するための技術であり、特許文献１に開示の技術を用いても、画質調整パラメータを変更するユーザ操作の操作性を向上することはできない。
【先行技術文献】
【特許文献】
【００１１】
【特許文献１】特開２００３−３４８５０５号公報
【発明の概要】
【発明が解決しようとする課題】
【００１２】
本発明は、画質調整パラメータを変更するユーザ操作の操作性を向上することができる技術を提供することを目的とする。
【課題を解決するための手段】
【００１３】
本発明の第１の態様は、
ユーザ操作に応じて、画質調整パラメータを取得する取得手段と、
前記取得手段で取得された画質調整パラメータを変更する変更手段と、
前記変更手段による変更後の画質調整パラメータを用いた画質調整処理を入力画像データに施すことにより、処理画像データを生成する画質調整手段と、
前記入力画像データの階調特性を基準特性に変換する階調変換処理を前記処理画像データに施すことにより、出力画像データを生成する変換手段と、
を有し、
前記変更手段は、前記変更手段による変更後の画質調整パラメータとして前記変更手段による変更前の画質調整パラメータと同じ値が得られる場合に比べて、前記変更手段による変更前の画質調整パラメータに対する前記変更手段による変更後の画質調整パラメータの比率である第１比率が第２比率に近づくように、前記取得手段で取得された画質調整パラメータを変更し、
前記第２比率は、前記変更手段による変更後の画質調整パラメータの代わりに前記取得手段で取得された画質調整パラメータを使用すると仮定した場合の、前記出力画像データの階調値に対する前記処理画像データの階調値の比率である
ことを特徴とする画像処理装置である。
【００１４】
本発明の第２の態様は、
ユーザ操作に応じて、画質調整パラメータを取得する取得ステップと、
前記取得ステップで取得された画質調整パラメータを変更する変更ステップと、
前記変更ステップによる変更後の画質調整パラメータを用いた画質調整処理を入力画像データに施すことにより、処理画像データを生成する画質調整ステップと、
前記入力画像データの階調特性を基準特性に変換する階調変換処理を前記処理画像データに施すことにより、出力画像データを生成する変換ステップと、
を有し、
前記変更ステップでは、前記変更ステップによる変更後の画質調整パラメータとして前記変更ステップによる変更前の画質調整パラメータと同じ値が得られる場合に比べて、前記変更ステップによる変更前の画質調整パラメータに対する前記変更ステップによる変更後の画質調整パラメータの比率である第１比率が第２比率に近づくように、前記取得ステップで取得された画質調整パラメータを変更し、
前記第２比率は、前記変更ステップによる変更後の画質調整パラメータの代わりに前記取得ステップで取得された画質調整パラメータを使用すると仮定した場合の、前記出力画像データの階調値に対する前記処理画像データの階調値の比率である
ことを特徴とする画像処理方法である。
【００１５】
本発明の第３の態様は、上述した画像処理方法の各ステップをコンピュータに実行させるためのプログラムである。
【発明の効果】
【００１６】
本発明によれば、画質調整パラメータを変更するユーザ操作の操作性を向上することができる。
【図面の簡単な説明】
【００１７】
【図１】実施例１に係る画像表示装置の構成の一例を示すブロック図
【図２】実施例１に係るＣＤＬ処理部の処理の一例を示す図
【図３】実施例１に係るガンマ処理部の処理の一例を示す図
【図４】実施例１に係るパラメータ変更部の処理の流れの一例を示すフロー図
【図５】実施例１に係るパラメータ変更処理の流れの一例を示すフロー図
【図６】実施例１に係るパラメータ変更処理の一例を示す図
【図７】実施例２に係る画像表示装置の構成の一例を示すブロック図
【図８】実施例３に係る画像表示装置の構成の一例を示すブロック図
【図９】実施例３に係るパラメータ変更部の処理の流れの一例を示すフロー図
【図１０】実施例４に係る画像表示装置の構成の一例を示すブロック図
【図１１】実施例５に係る階調ヒストグラムの一例を示す図
【発明を実施するための形態】
【００１８】
＜実施例１＞
以下、本発明の実施例１に係る画像処理装置及び画像処理方法について説明する。なお、以下では、本実施例に係る画像処理装置が設けられた画像表示装置の例について説明するが、本実施例に係る画像処理装置は画像表示装置とは別体の装置であってもよい。
【００１９】
（全体構成）
本実施例に係る画像表示装置の全体構成について説明する。図１は、本実施例に係る画像表示装置１０１の構成の一例を示すブロック図である。図１に示すように、画像表示装置１０１は、操作部１０２、ＣＤＬ処理部１０３、ガンマ処理部１０４、データ記憶部１０５、パラメータ変更部１０６、パネル補正部１０７、及び、表示部１０８、を有する。本実施例に係る画像処理装置は画像表示装置と別体の装置である場合には、少なくとも表示部１０８が画像表示装置に設けられる。
【００２０】
操作部１０２は、画質調整パラメータを含むパラメータを変更（調整）するためにユーザが操作するユーザインタフェースである。操作部１０２としては、例えば、つまみ、ボタン、等を使用することができる。本実施例では、複数のパラメータに対応する複数のつまみを、操作部１０２として用いる例を説明する。ここで、“パラメータに対応するつまみ”は、“パラメータを変更する際にユーザによって操作されるつまみ”を意味する。
【００２１】
本実施例では、画質調整パラメータが、ＡＳＣ  ＣＤＬ（Ｔｈｅ  Ａｍｅｒｉｃａｎ  Ｓｏｃｉｅｔｙ  ｏｆ  Ｃｉｎｅｍａｔｏｇｒａｐｈｅｒｓ  Ｃｏｌｏｒ  Ｄｅｃｉｓｉｏｎ  Ｌｉｓｔ）で定義された種類の画質調整パラメータである場合の例を説明する。以後、ＡＳＣ  ＣＤＬを単に“ＣＤＬ”と記載する。ＣＤＬでは、画質調整パラメータの種類として、ＳＬＯＰＥ、ＯＦＦＳＥＴ、ＰＯＷＥＲ、及び、ＳＡＴＵＲＡＴＩＯＮ、が定義されている。操作部１０２は、画質調整パラメータに対応するつまみとして、ＳＬＯＰＥの画質調整パラメータに対応するつまみ、ＯＦＦＳＥＴの画質調整パラメータに対応するつまみ、及び、ＰＯＷＥＲの画質調整パラメータに対応するつまみ、を有する。
【００２２】
ＳＬＯＰＥの画質調整パラメータは、画像データの各階調値に乗算するゲイン値である。ＯＦＦＳＥＴの画質調整パラメータは、画像データの各階調値に加減算するオフセット値である。ＰＯＷＥＲの画質調整パラメータは、画像データに施すガンマ変換処理のガンマ値である。そして、ＳＡＴＵＲＡＴＩＯＮの画質調整パラメータは、画像データの各クロマ値に乗算するクロマゲイン値である。
【００２３】
また、操作部１０２は、ユーザが変更可能な上記画質調整パラメータを取得し、取得した画質調整パラメータをパラメータ変更部１０６に送信する。本実施例では、時計回りにつまみを回す回転量に比例して増加し、且つ、反時計回りにつまみを回す回転量に比例して減少する値が、画質調整パラメータとして取得される。本実施例では、画質調整パラメータとして、０以上且つ１０以下の値が取得される。０から１０に画質調整パラメータを高めるための回転量は、例えば、１周分の回転量である。画質調整パラメータは、例えば、回転量の変化に応じて０．１刻みで変化する。本実施例では、初期状態において、ＳＬＯＰＥの画質調整パラメータとして１．０が取得され、ＯＦＦＳＥＴの画質調整パラメータとして０．０が取得され、ＰＯＷＥＲの画質調整パラメータとして１．０が取得される。これらの初期値は、画像データの階調値を変更しない画質調整パラメータである。
【００２４】
なお、ＳＬＯＰＥの画質調整パラメータの初期値、ＯＦＦＳＥＴの画質調整パラメータの初期値、及び、ＰＯＷＥＲの画質調整パラメータの初期値は、上記値に限らない。
なお、画質調整パラメータは、ＣＤＬで定義された種類の画質調整パラメータに限らない。ＳＬＯＰＥの画質調整パラメータ、ＯＦＦＳＥＴの画質調整パラメータ、ＰＯＷＥＲの画質調整パラメータ、ＳＡＴＵＲＡＴＩＯＮの画質調整パラメータ、及び、その他の画質調整パラメータ、の少なくともいずれかが使用されればよい。例えば、ＳＬＯＰＥの画質調整パラメータのみが使用されてもよい。
なお、つまみの回転量と画質調整パラメータとの対応関係は上記関係に限らない。
なお、画質調整パラメータの取り得る値の最大値は１０より大きくても小さくてもよい。また、画質調整パラメータの取り得る値の最小値は０より大きくても小さくてもよい。
なお、画質調整パラメータの刻み幅は０．１より大きくても小さくてもよい。
【００２５】
ＣＤＬ処理部１０３は、パラメータ変更部１０６から出力された画質調整パラメータを用いた画質調整処理を、入力画像データ（画像表示装置１０１に入力された画像データ）に施す。それにより、第１処理画像データ（処理画像データ）が生成される。そして、ＣＤＬ処理部１０３は、生成した第１処理画像データをガンマ処理部１０４に出力する。
【００２６】
ガンマ処理部１０４は、階調特性情報を取得し、取得した階調特性情報をデータ記憶部１０５に記録する。階調特性情報は、階調特性を表す情報である。階調特性は、階調値と画像輝度（画像の輝度）との対応関係であり、例えばガンマ特性である。階調特性がガンマ特性である場合、階調特性情報として、ガンマ値（ガンマ係数；べき乗係数）が生成（決定）される。本実施例では、入力画像データの階調特性を指定するユーザ操作に応じて、入力画像データの階調特性を表す階調特性情報が生成される。例えば、１．８ガンマ、
２．２ガンマ、２．４ガンマ、２．６ガンマ、ＬＯＧガンマ、等のうちの１つを選択するユーザ操作に応じて、選択された階調特性を表す階調特性情報が生成される。１．８ガンマはガンマ値＝１．８のガンマ特性であり、２．２ガンマはガンマ値＝２．２のガンマ特性であり、２．４ガンマはガンマ値＝２．４のガンマ特性であり、２．６ガンマはガンマ値＝２．６のガンマ特性である。ＬＯＧガンマは、ＬＯＧに近い変換特性で階調値が変換された後の画像データの階調特性である。そして、生成された階調特性情報がガンマ処理部１０４に入力される。図１では、ユーザ操作を受け付ける操作部、及び、ユーザ操作に応じて階調特性情報を生成する生成部、は省略されている。
【００２７】
また、ガンマ処理部１０４は、取得した階調特性情報が表す階調特性を基準特性（基準の階調特性）に変換する第１階調変換処理（階調変換処理）を、ＣＤＬ処理部１０３から出力された第１処理画像データに施す。それにより、第２処理画像データ（出力画像データ）が生成される。階調特性がガンマ特性である場合、階調変換処理は“ガンマ変換処理”と言うこともできる。基準特性は、例えば、２．２ガンマ、２．４ガンマ、等である。ガンマ処理部１０４は、生成した第２処理画像データをパネル補正部１０７に出力する。
【００２８】
なお、階調特性情報が表す階調特性は、線形特性であってもよいし、非線形特性であってもよい。同様に、基準特性は、線形特性であってもよいし、非線形特性であってもよい。
なお、ガンマ処理部１０４は、生成した第２処理画像データを、パネル補正部１０７ではなく、不図示の記憶部（光ディスク、磁気ディスク、半導体メモリ、等）に出力してもよい。そして、出力画像データが不図示の記憶部に記録されてもよい。
【００２９】
データ記憶部１０５は、階調特性情報と基準特性情報を記憶する。基準特性情報は、基準特性を表す情報である。本実施例では、画像表示装置１０１の製造時に基準特性情報がデータ記憶部１０５に記録されるものとするが、基準特性を指定するユーザ操作に応じて基準特性情報が生成されて記録されてもよい。
【００３０】
パラメータ変更部１０６は、操作部１０２から画質調整パラメータを取得し、データ記憶部１０５から階調特性情報と基準特性情報を取得する。そして、パラメータ変更部１０６は、入力画像データの階調特性と基準特性とに基づいて、操作部１０２から取得した画質調整パラメータを変更する（パラメータ変更処理）。本実施例では、操作部１０２で取得された画質調整パラメータを変更するユーザ操作に応じた出力画像データの階調値の変化が、入力画像データの階調特性によらず、略一定になるように、操作部１０２で取得された画質調整パラメータが変更される。パラメータ変更部１０６は、パラメータ変更処理後の画質調整パラメータ（パラメータ変更部１０６による変更後の画質調整パラメータ）をＣＤＬ処理部１０３に出力する。
【００３１】
パネル補正部１０７は、基準特性を表示部１０８の表示特性に合った階調特性に変換する第２階調変換処理（階調変換処理）を、ガンマ処理部１０４から出力された第２処理画像データに施す。それにより、表示用画像データが生成される。表示特性は、階調値と表示輝度（画面上の輝度）との対応関係である。表示部１０８の表示特性に合った階調特性は、例えば、２．２ガンマ、２．４ガンマ、等である。
【００３２】
なお、表示部１０８の表示特性に合った階調特性と同じ階調特性を基準特性として使用する場合には、表示用画像データの階調値として第２処理画像データの階調値と同じ階調値が得られる。そのため、表示部１０８の表示特性に合った階調特性と同じ階調特性を基準特性として使用する場合には、第２階調変換処理が省略され、第２処理画像データが表示用画像データとして使用されてもよい。また、表示部１０８の表示特性に合った階調特性と同じ階調特性を常に基準特性として使用する場合には、画像表示装置１０１はパネル
補正部１０７を有していなくてもよい。
【００３３】
表示部１０８は、パネル補正部１０７から出力された表示用画像データに基づく画像を画面に表示する。表示部１０８としては、液晶ディスプレイパネル、有機ＥＬディスプレイパネル、プラズマディスプレイパネル、等を使用することができる。
【００３４】
（ＣＤＬ処理部）
ＣＤＬ処理部１０３についてより詳細に説明する。
【００３５】
本実施例では、ＣＤＬ処理部１０３は、パラメータ変更部１０６から、ＳＬＯＰＥの画質調整パラメータＱｓ２、ＯＦＦＳＥＴの画質調整パラメータＱｏ２、及び、ＰＯＷＥＲの画質調整パラメータＱｐ２、を取得する。画質調整パラメータＱｓ２，Ｑｏ２，Ｑｐ２は、パラメータ変更処理後の画質調整パラメータである。そして、以下の式１−１〜１−３を用いて、ＣＤＬ処理部１０３は、入力画像データの画素毎に、入力画像データの階調値Ｐｉｎを第１処理画像データの階調値Ｐ１に変換する。その後、ＣＤＬ処理部１０３は、各画素の階調値Ｐ１をガンマ処理部１０４に出力する。なお、階調値が上限値を上回ったり下限値を下回ったりしないように、階調値は適宜補正される。例えば、階調値Ｐｏが上限値を上回ったり下限値を下回ったりしないように、階調値Ｐｏが下限値から上限値までの範囲内の値に補正される。そして、補正後の階調値Ｐｏを用いて階調値Ｐ１が算出される。
Ｐｓ＝Ｐｉｎ×Ｑｓ２  ・・・（式１−１）
Ｐｏ＝Ｐｓ＋Ｑｏ２
＝（Ｐｉｎ×Ｑｓ２）＋Ｑｏ２
・・・（式１−２）
Ｐ１＝ＰｏＱｐ２
＝（（Ｐｉｎ×Ｑｓ２）＋Ｑｏ２）Ｑｐ２
・・・（式１−３）
【００３６】
画質調整パラメータＱｓ２＝５．０、画質調整パラメータＱｏ２＝０．０、及び、画質調整パラメータＱｐ２＝１．０、の場合の階調値Ｐｉｎと階調値Ｐ１の対応関係を図２に示す。図２は、入力画像データの階調が１７階調である場合の例を示す。図２に示すように、画質調整パラメータＱｓ２＝５．０、画質調整パラメータＱｏ２＝０．０、及び、画質調整パラメータＱｐ２＝１．０、の場合には、階調値Ｐ１として、階調値Ｐｉｎの５倍の値が得られる。
【００３７】
（ガンマ処理部）
ガンマ処理部１０４についてより詳細に説明する。
【００３８】
ガンマ処理部１０４は、ＣＤＬ処理部１０３から第１処理画像データ（各画素の階調値Ｐ１）を取得する。そして、ガンマ処理部１０４は、第１処理画像データの画素毎に、第１処理画像データの階調値Ｐ１を第２処理画像データの階調値Ｐ２に変換する。入力画像データの階調特性を基準特性に変換する第１階調変換処理階調値Ｐ１に施すことにより、階調値Ｐ２が得られる。
【００３９】
画質調整パラメータＱｓ２＝５．０、画質調整パラメータＱｏ２＝０．０、及び、画質調整パラメータＱｐ２＝１．０、であり、且つ、基準特性が２．２ガンマである場合の、階調値Ｐ１と階調値Ｐ２の対応関係を図３に示す。図３において、実線は、入力画像データの階調特性が２．２ガンマである場合を示し、破線は、入力画像データの階調特性がＬ
ＯＧガンマである場合を示す。図３には、階調値Ｐ１に対応する階調値Ｐｉｎも示されている。図３から、入力画像データの階調特性が基準特性と同じ階調特性である場合には、階調値Ｐ２として階調値Ｐ１と同じ値が得られることがわかる。そして、入力画像データの階調特性が基準特性と異なる階調特性である場合には、階調値Ｐ１の変化に対する階調値Ｐ２の変化の仕方が、入力画像データの階調特性が基準特性と同じ階調特性である場合と異なることがわかる。図３の実線は、階調値Ｐ１に比例して階調値Ｐ２が増加することを示す。図３では、低階調側で破線の傾きが実線よりも大きく、高階調側で破線の傾きが実線よりも小さい。
【００４０】
階調値Ｐ１と階調値Ｐ２の対応関係が入力画像データの階調特性に依存して変化することは、“パラメータ変更処理後の画質調整パラメータの変化に応じた階調値Ｐ２の変化が、入力画像データの階調特性に依存して変化する”ことを意味する。即ち、階調値Ｐ１と階調値Ｐ２の対応関係が入力画像データの階調特性に依存して変化することは、“パラメータ変更処理を行わなかった場合に、調整感度が入力画像データの階調特性に依存して変化する”ことを意味する。調整感度は、画質調整パラメータを変更するユーザ操作の感度であり、“画質調整パラメータを変更するユーザ操作に応じた階調値Ｐ２の変化”と言うこともできる。このような調整感度の変化は、画質調整パラメータを変更するユーザ操作の操作性の低下を招く。
【００４１】
（パラメータ変更部）
パラメータ変更部１０６について、図４，５を用いてより詳細に説明する。ここでは、ＳＬＯＰＥの画質調整パラメータを１．０から５．０に変更するユーザ操作が行われた場合の例を説明する。即ち、操作部１０２から、ＳＬＯＰＥの画質調整パラメータＱｓ１＝５．０、ＯＦＦＳＥＴの画質調整パラメータＱｏ１＝０．０、及び、ＰＯＷＥＲの画質調整パラメータＱｐ１＝１．０が出力された場合の例を説明する。画質調整パラメータＱｓ１，Ｑｏ１，Ｑｐ１は、パラメータ変更処理前の画質調整パラメータ（パラメータ変更部１０６による変更前の画質調整パラメータ）である。また、ここでは、入力画像データの階調特性がＬＯＧガンマであり、且つ、基準特性が２．２ガンマである場合の例を説明する。
【００４２】
図４を用いて、パラメータ変更部１０６の処理の流れの一例を説明する。図４は、パラメータ変更部１０６の処理の流れの一例を示すフローチャートである。
まず、パラメータ変更部１０６は、画質調整パラメータＱｓ１，Ｑｏ１，Ｑｐ１を操作部１０２から取得する（Ｓ４０１）。
次に、パラメータ変更部１０６は、入力画像データの階調特性を表す階調特性情報をデータ記憶部１０５から取得する（Ｓ４０２）。
そして、パラメータ変更部１０６は、基準特性を表す基準特性情報をデータ記憶部１０５から取得する（Ｓ４０３）。
次に、パラメータ変更部１０６は、Ｓ４０２で取得された階調特性情報と、Ｓ４０３で取得された基準特性情報と、を用いて、パラメータ変更処理を行う（Ｓ４０４）。
【００４３】
図５を用いて、本実施例に係るパラメータ変更処理（図４のＳ４０４の処理）の流れの一例を説明する。図５は、本実施例に係るパラメータ変更処理の流れの一例を示すフローチャートである。
【００４４】
まず、パラメータ変更部１０６は、入力画像データの取り得る階調値毎に、第２処理画像データの階調値Ｐ３を算出する（Ｓ５０１）。階調値Ｐ３は、ＣＤＬ処理部１０３の画質調整処理（階調値Ｐ１を算出する処理）と同様の処理、及び、ガンマ処理部１０４の第１階調変換処理（階調値Ｐ２を算出する処理）と同様の処理、を順に行うことにより、算出される。Ｓ５０１の処理では、パラメータ変更処理後の画質調整パラメータの代わりに
、パラメータ変更処理前の画質調整パラメータが使用される。ここでは、入力画像データの取り得る階調値は０以上１６以下の１７個の階調値である。そのため、０以上１６以下の１７個の階調値のそれぞれについて階調値Ｐ３が算出される。また、ここでは、Ｑｓ１＝５．０であり、Ｑｏ１＝０．０であり、Ｑｐ１＝１．０であり、入力画像データの階調特性がＬＯＧガンマであり、基準特性が２．２ガンマである。そのため、入力画像データの取り得る階調値と階調値Ｐ３との対応関係は、図３の破線の対応関係と一致する。なお、入力画像データの取り得る階調値の最大値は１６より大きくても小さくてもよい。また、入力画像データの取り得る階調値の最小値は０より大きくても小さくてもよい。
【００４５】
次に、パラメータ変更部１０６は、入力画像データの取り得る階調値毎に、第２処理画像データの階調値Ｐ４を算出する（Ｓ５０２）。階調値Ｐ４は、ＣＤＬ処理部１０３の画質調整処理と同様の処理、及び、ガンマ処理部１０４の第１階調変換処理と同様の処理、を順に行うことにより、算出される。Ｓ５０２の処理では、パラメータ変更処理後の画質調整パラメータの代わりに、パラメータ変更処理前の画質調整パラメータが使用され、入力画像データの階調特性の代わりに、基準特性が使用される。ここでは、入力画像データの取り得る階調値と階調値Ｐ４との対応関係は、図３の実線の対応関係と一致する。
【００４６】
上述したように、入力画像データの階調特性が基準特性と同じ階調特性である場合には、第２処理画像データの階調値として第１処理画像データの階調値と同じ値が得られる。そのため、階調値Ｐ４は、“パラメータ変更処理後の画質調整パラメータの代わりにパラメータ変更処理前の画質調整パラメータを使用すると仮定した場合の第１処理画像データの階調値”と言うこともできる。
【００４７】
そして、パラメータ変更部１０６は、入力画像データの取り得る階調値毎に、Ｓ５０１で算出された階調値Ｐ３に対するＳ５０２で算出された階調値Ｐ４の比率（第２比率）を算出する。そして、パラメータ変更部１０６は、入力画像データの取り得る複数の階調値にそれぞれ対応する複数の第２比率を代表する代表比率を決定する（Ｓ５０３）。本実施例では、複数の第２比率の平均値が、代表比率として算出される。図３の対応関係からは、代表比率として、約０．５（＝約１／２）が得られる。なお、代表比率は、複数の第２比率の平均値に限らない。例えば、複数の第２比率の中間値、最頻値、最大値、最小値、等が代表比率として決定されてもよい。複数の第２比率のいずれか１つが代表比率として決定されてもよい。
【００４８】
次に、パラメータ変更部１０６は、Ｓ５０３で決定された代表比率（代表の第２比率）を用いて、操作部１０２から出力された画質調整パラメータを変更する（Ｓ５０４）。具体的には、パラメータ変更処理後の画質調整パラメータとしてパラメータ変更処理前の画質調整パラメータと同じ値が得られる場合に比べて代表比率に第１比率が近づくように、画質調整パラメータが変更される。第１比率は、パラメータ変更処理前の画質調整パラメータに対するパラメータ変更処理後の画質調整パラメータの比率である。本実施例では、操作部１０２から出力された画質調整パラメータにＳ５０３で決定された代表比率を乗算した値に、操作部１０２から出力された画質調整パラメータが変更される。ここでは、ＳＬＯＰＥの画質調整パラメータＱｓ１＝５．０であり、代表比率が約１／２である。そのため、ＳＬＯＰＥの画質調整パラメータは５．０から約２．５に変更される。同様に、ＯＦＦＳＥＴの画質調整パラメータとＰＯＷＥＲの画質調整パラメータも変更される。
【００４９】
以上の処理を行うことにより、入力画像データの階調特性に応じて調整感度を変更することができ、入力画像データの階調特性に依存した調整感度の変化を低減することができる。例えば、入力画像データの階調特性がＬＯＧガンマであり、且つ、基準特性が２．２ガンマである場合には、図６に示すように、つまみの回転量に応じた画質調整パラメータが約１／２倍される。それにより、入力画像データの階調特性がＬＯＧガンマのときの調
整感度を、入力画像データの階調特性が２．２ガンマのときの調整感度に近づけることができる。その結果、画質調整パラメータを変更するユーザ操作の操作性の向上することができる。
【００５０】
なお、入力画像データの階調特性が基準特性と同じ階調特性である場合には、第２比率（代表比率）として１．０が得られるため、操作部１０２から出力された画質調整パラメータは変更されない。
【００５１】
なお、本実施例では、第１比率を第２比率（代表比率）に一致させる例を説明したが、第１比率を第２比率に一致させなくてもよい。パラメータ変更処理後の画質調整パラメータとしてパラメータ変更処理前の画質調整パラメータと同じ値が得られる場合に比べて代表比率に第１比率が近づけばよい。また、パラメータ変更処理の方法は、どのような方法であってもよい。例えば、第１比率や第２比率を使用せずに、操作部１０２で取得された画質調整パラメータが変更されてもよい。画質調整パラメータを変更するユーザ操作に応じた出力画像データの階調値の変化が、入力画像データの階調特性によらず、略一定になるように、操作部１０２で取得された画質調整パラメータが変更されればよい。
【００５２】
なお、パラメータ変更処理後の画質調整パラメータは、パラメータ変更処理前の画質調整パラメータに第２比率（代表比率）を乗算することによって算出されてもよいし、そうでなくてもよい。例えば、パラメータ変更処理前の画質調整パラメータ及び第２比率の組み合わせと、パラメータ変更処理後の画質調整パラメータと、の対応関係を表すテーブルが使用されてもよい。そのようなテーブルを使用すれば、乗算等の演算を行わずに、パラメータ変更処理前の画質調整パラメータと第２比率とから、パラメータ変更処理後の画質調整パラメータを得ることができる。
【００５３】
なお、本実施例では第２比率を算出する例を説明したが、これに限らない。例えば、入力画像データの階調特性及び基準特性の組み合わせと、第２比率と、の対応関係を表すテーブルが使用されてもよい。そのようなテーブルを使用すれば、入力画像データの階調特性と基準特性とから、第２比率を得ることができる。
【００５４】
なお、入力画像データの階調特性、基準特性、及び、パラメータ変更処理前の画質調整パラメータの組み合わせと、パラメータ変更処理後の画質調整パラメータと、の対応関係を表すテーブルが使用されてもよい。そのようなテーブルを使用すれば、入力画像データの階調特性、基準特性、及び、パラメータ変更処理前の画質調整パラメータから、パラメータ変更処理後の画質調整パラメータを得ることができる。
【００５５】
なお、パラメータ変更処理が常に行われてもよいし、そうでなくてもよい。例えば、画質調整パラメータを初期値に変更するユーザ操作が行われた場合にパラメータ変更処理が省略され、画質調整パラメータを初期値以外の値に変更するユーザ操作が行われた場合にパラメータ変更処理が行われてもよい。しかし、画質調整パラメータを初期値よりも大きい値に変更するユーザ操作が行われたにも拘らず、パラメータ変更処理後の画質調整パラメータとして初期値よりも小さい値が得られてしまうことがある。また、画質調整パラメータを初期値よりも小さい値に変更するユーザ操作が行われたにも拘らず、パラメータ変更処理後の画質調整パラメータとして初期値よりも大きい値が得られてしまうことがある。そのため、それらの場合には、パラメータ変更処理後の画質調整パラメータとしてパラメータ変更処理前の画質調整パラメータが使用されることが好ましい。
【００５６】
以上述べたように、本実施例によれば、パラメータ変更処理後の画質調整パラメータとしてパラメータ変更処理前の画質調整パラメータと同じ値が得られる場合に比べて第２比率に第１比率が近づくように、画質調整パラメータが変更される。これにより、入力画像
データの階調特性に依存した調整感度の変化を低減することができる。その結果、画質調整パラメータを変更するユーザ操作の操作性の向上することができる。
【００５７】
＜実施例２＞
以下、本発明の実施例２に係る画像処理装置及び画像処理方法について説明する。なお、以下では、実施例１と異なる構成や処理について説明し、実施例１と同様の構成や処理については説明を省略する。
【００５８】
図７は、本実施例に係る画像表示装置７０１の構成の一例を示すブロック図である。図７において、実施例１（図１）と同じ機能部には実施例１と同じ符号が付されている。
入力データ処理部７０９は、入力画像データと、入力画像データの階調特性を表す階調特性情報と、を外部装置から取得する。そして、入力データ処理部７０９は、入力画像データをＣＤＬ処理部１０３に出力し、階調特性情報をガンマ処理部１０４に出力する。
【００５９】
階調特性情報は、例えば、メタデータとして入力画像データに付加されている。そして、入力画像データを解析することにより、入力画像データから階調特性情報が取得される。ここで、画像表示装置７０１がＳＤＩ（Ｓｅｒｉａｌ  Ｄｉｇｉｔａｌ  Ｉｎｔｅｒｆａｃｅ）で外部装置に接続されている場合を考える。この場合には、例えば、ＳＤＩ信号のアンシラリ領域に階調特性情報が格納されており、アンシラリ領域から階調特性情報が取得される。
【００６０】
なお、階調特性情報の取得方法は、上記方法に限らない。例えば、階調特性情報と入力画像データが個別に取得されてもよい。ここで、画像表示装置７０１がＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）で外部装置に接続されている場合を考える。この場合には、ＨＤＭＩのＣＥＣ（Ｃｏｎｓｕｍｅｒ  Ｅｌｅｃｔｒｏｎｉｃｓ  Ｃｏｎｔｒｏｌ）を用いた制御によって、階調特性情報が取得されてもよい。また、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）に階調特性情報が格納されていてもよい。
【００６１】
本実施例によれば、実施例１と同様に、パラメータ変更処理後の画質調整パラメータとしてパラメータ変更処理前の画質調整パラメータと同じ値が得られる場合に比べて第２比率に第１比率が近づくように、画質調整パラメータが変更される。これにより、画質調整パラメータを変更するユーザ操作の操作性の向上することができる。
また、本実施例によれば、階調特性を指定するユーザ操作なしで、入力画像データを出力する外部装置から、階調特性情報が取得される。それにより、ユーザの負荷を低減することができる。また、誤った階調特性情報（入力画像データの階調特性とは異なる階調特性を表す情報）が取得されるのを抑制することができる。また、新たに提案された階調特性に対して柔軟に対応することができる。
【００６２】
＜実施例３＞
以下、本発明の実施例３に係る画像処理装置及び画像処理方法について説明する。なお、以下では、実施例１と異なる構成や処理について説明し、実施例１と同様の構成や処理については説明を省略する。
【００６３】
図８は、本実施例に係る画像表示装置８０１の構成の一例を示すブロック図である。図８において、実施例１（図１）と同じ機能部には実施例１と同じ符号が付されている。
【００６４】
パラメータ判定部８０９には、各画質調整パラメータの初期値が予め記録されている。例えば、ＳＬＯＰＥの画質調整パラメータの初期値として“１．０”が、ＯＦＦＳＥＴの画質調整パラメータの初期値として“０．０”が、ＰＯＷＥＲの画質調整パラメータの初
期値として“１．０”が、予め記録されている。パラメータ判定部８０９は、画質調整パラメータ毎に、操作部１０２から出力された画質調整パラメータが初期値であるか否かを判定する。そして、パラメータ判定部８０９は、画質調整パラメータ毎の判定結果をパラメータ変更部８０６に出力する。本実施例では、実施例１と同様に、画質調整パラメータとして、ＣＤＬで定義された種類（ＳＬＯＰＥ、ＯＦＦＳＥＴ、及び、ＰＯＷＥＲ）の画質調整パラメータが使用される。さらに本実施例では、画質調整パラメータとして、ＣＤＬで定義された種類以外の種類（“ＯＴＨＥＲ”と記載する）の画質調整パラメータも使用される。
【００６５】
パラメータ変更部８０６は、実施例１のパラメータ変更部１０６と同様に、操作部１０２から出力された各画質調整パラメータを変更する。但し、本実施例では、パラメータ変更部８０６は、操作部１０２から出力された画質調整パラメータが初期値である場合に、当該画質調整パラメータを変更するパラメータ変更処理を省略する。そして、パラメータ変更部８０６は、操作部１０２から出力された画質調整パラメータが初期値でない場合に、当該画質調整パラメータを変更するパラメータ変更処理を行う。操作部１０２から出力された画質調整パラメータが初期値であるか否かは、パラメータ判定部８０９の判定結果から把握することができる。
【００６６】
ＳＬＯＰＥの画質調整パラメータは、明部を調整するために変更されることが多い。ＰＯＷＥＲの画質調整パラメータは、中間部を調整するために変更されることが多い。そして、ＯＦＦＳＥＴの画質調整パラメータは、暗部を調整するために変更されることが多い。
そこで、本実施例では、パラメータ変更部８０６は、ＳＬＯＰＥの画質調整パラメータを変更するパラメータ変更処理として以下の処理１を行い、ＰＯＷＥＲの画質調整パラメータを変更するパラメータ変更処理として以下の処理２を行う。そして、パラメータ変更部８０６は、ＯＦＦＳＥＴの画質調整パラメータを変更するパラメータ変更処理として以下の処理３を行う。また、パラメータ変更部８０６は、ＯＴＨＥＲの画質調整パラメータについては、パラメータ変更処理を省略する。
【００６７】
処理１：入力画像データが取り得る複数の階調値のうち第１階調範囲に属す階調値に対応する第２比率に基づく値に、ＳＬＯＰＥの画質調整パラメータを変更する処理
処理２：入力画像データが取り得る複数の階調値のうち第１階調範囲よりも低階調側の第２階調範囲に属す階調値に対応する第２比率に基づく値に、ＰＯＷＥＲの画質調整パラメータを変更する処理
処理３：入力画像データが取り得る複数の階調値のうち第２階調範囲よりも低階調側の第３階調範囲に属す階調値に対応する第２比率に基づく値に、ＯＦＦＳＥＴの画質調整パラメータを変更する処理
【００６８】
入力画像データが取り得る階調値が０以上１６以下の１７個の階調値である場合、例えば、第１階調範囲は１２以上１６以下の階調範囲、第２階調範囲は６以上１１以下の階調範囲、第３階調範囲は１以上５以下の階調範囲である。
本実施例では、画質調整パラメータを初期値よりも大きい値に変更するユーザ操作が行われたにも拘らず、パラメータ変更処理後の画質調整パラメータとして初期値よりも小さい値が得られてしまうことがある。また、画質調整パラメータを初期値よりも小さい値に変更するユーザ操作が行われたにも拘らず、パラメータ変更処理後の画質調整パラメータとして初期値よりも大きい値が得られてしまうことがある。そのため、それらの場合には、パラメータ変更処理後の画質調整パラメータとしてパラメータ変更処理前の画質調整パラメータが使用される。
【００６９】
図９を用いて、パラメータ変更部８０６の処理の流れの一例を説明する。図９は、パラ
メータ変更部８０６の処理の流れの一例を示すフローチャートである。本実施例では、図９のフローチャートの開始前に、パラメータ変更部８０６が、操作部１０２から出力された各画像処理パラメータを取得する。そして、本実施例では、操作部１０２から出力された各画像処理パラメータについて、図９のフローチャートが実行される。
【００７０】
まず、パラメータ変更部８０６は、処理対象の画像処理パラメータがＯＴＨＥＲの画像処理パラメータであるか否かを判定する（Ｓ９０１）。処理対象の画像処理パラメータがＯＴＨＥＲの画像処理パラメータでなかった場合、すなわち処理対象の画像処理パラメータがＳＬＯＰＥ、ＯＦＦＳＥＴ、または、ＰＯＷＥＲの画像処理パラメータであった場合には、Ｓ９０２に処理が進められる。処理対象の画像処理パラメータがＯＴＨＥＲの画像処理パラメータであった場合には、本フローチャートが終了される。
【００７１】
Ｓ９０２では、パラメータ変更部８０６が、処理対象の画像処理パラメータが初期値であるか否かを判定する。処理対象の画像処理パラメータが初期値でなかった場合には、Ｓ９０３に処理が進められ、Ｓ９０３〜Ｓ９０６の処理が順に行われる。処理対象の画像処理パラメータが初期値であった場合には、本フローチャートが終了される。
【００７２】
Ｓ９０３の処理は、図４のＳ４０２の処理と同じであり、Ｓ９０４の処理は、図４のＳ４０３の処理と同じである。
Ｓ９０５では、パラメータ変更部８０６が、処理対象の画像処理パラメータの種類に応じて階調範囲を設定する。処理対象の画像処理パラメータの種類がＳＬＯＰＥであった場合には第１階調範囲が、処理対象の画像処理パラメータの種類がＰＯＷＥＲであった場合には第２階調範囲が設定される。そして、処理対象の画像処理パラメータの種類がＯＦＦＳＥＴであった場合には第３階調範囲が設定される。
Ｓ９０６の処理は、図４のＳ４０４の処理と同じである。但し、Ｓ９０６では、入力画像データの取り得る階調値として、Ｓ９０５で設定された階調範囲内の階調値が使用される。
【００７３】
以上述べたように、本実施例によれば、画質調整パラメータの種類に応じて、パラメータ変更処理の実行、非実行、実効内容（処理内容）、等が制御される。それにより、画質調整パラメータの種類に応じて、ユーザにより好適な調整感度に調整感度を変更することができる。ひいては、画質調整パラメータを変更するユーザ操作の操作性をより向上することができる。
【００７４】
なお、操作部で取得された画質調整パラメータが初期値であるか否かに拘らず、パラメータ変更処理（処理１〜３）が常に行われてもよい。その場合には、画像表示装置はパラメータ判定部を有していなくてもよい。
なお、ＯＴＨＥＲの画質調整パラメータについて、パラメータ変更処理が行われもよい。
【００７５】
＜実施例４＞
以下、本発明の実施例４に係る画像処理装置及び画像処理方法について説明する。なお、以下では、実施例１と異なる構成や処理について説明し、実施例１と同様の構成や処理については説明を省略する。
【００７６】
図１０は、本実施例に係る画像表示装置１００１の構成の一例を示すブロック図である。図１０において、実施例１（図１）と同じ機能部には実施例１と同じ符号が付されている。
【００７７】
統計量取得部１００９は、入力画像データに基づいて、入力画像データの各画素の階調
値を代表する代表階調値を決定する。そして、統計量取得部１００９は、決定した代表階調値をパラメータ変更部１００６に出力する。本実施例では、入力画像データの各画素の階調値の平均値（ＡＰＬ（Ａｖｅｒａｇｅ  Ｐｉｃｔｕｒｅ  Ｌｅｖｅｌ）；平均階調値）が代表階調値として取得される。なお、代表階調値は平均階調値に限らない。入力画像データの各画素の階調値の最頻値、中間値、最大値、最小値、等が代表階調値として取得されてもよい。
【００７８】
パラメータ変更部１００６は、実施例１のパラメータ変更部１０６と同様の機能を有する。但し、パラメータ変更部１００６は、入力画像データの取り得る階調値として、統計量取得部１００９で決定された代表階調値を使用する。即ち、パラメータ変更部１００６では、代表階調値に対応する第２比率が取得され、取得した第２比率に第１比率が近づくように画質調整パラメータが変更される。
【００７９】
以上述べたように、本実施例によれば、入力画像データの階調特性と基準特性だけでなく、入力画像データの代表階調値を考慮して、画質調整パラメータが変更される。それにより、ユーザにより好適な調整感度に調整感度を変更することができる。例えば、入力画像データが表す画像の代表的な領域における調整感度を、入力画像データの階調特性が基準特性であった場合の調整感度により近づけることができる。ひいては、画質調整パラメータを変更するユーザ操作の操作性をより向上することができる。
【００８０】
＜実施例５＞
以下、本発明の実施例５に係る画像処理装置及び画像処理方法について説明する。なお、以下では、実施例４と異なる構成や処理について説明し、実施例４と同様の構成や処理については説明を省略する。
【００８１】
本実施例に係る画像表示装置の構成は、実施例４（図１０）と同じである。
本実施例に係る統計量取得部１００９は、入力画像データに基づいて、入力画像データの階調ヒストグラムを生成する。階調ヒストグラムは、カテゴリ毎にそのカテゴリに属す画素の数を度数として表すヒストグラムである。各カテゴリは、１つ以上の階調値を含む階調範囲である。統計量取得部１００９は、生成した階調ヒストグラムにおいて度数が最も大きいカテゴリに対応する階調値を、代表階調値として決定する。複数の階調値を含むカテゴリについては、カテゴリに属す階調値の最大値、最小値、平均値、等が、“カテゴリに対応する階調値”として使用される。図１１に、階調ヒストグラムの一例を示す。図１１の階調ヒストグラムが生成された場合には、階調値９が代表階調値として決定される。
【００８２】
以上述べたように、本実施例によれば、入力画像データの階調特性と基準特性だけでなく、入力画像データの階調ヒストグラムから決定した代表階調値を考慮して、画質調整パラメータが変更される。それにより、ユーザにより好適な調整感度に調整感度を変更することができる。ひいては、画質調整パラメータを変更するユーザ操作の操作性をより向上することができる。
なお、上述した実施例１〜５に適宜変形を加えてもよいし、実施例１〜５の少なくとも一部を他の実施例に適宜組み合わせてもよい。
【００８３】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８４】
１０１，７０１，８０１，１００１：画像表示装置  １０２：操作部
１０３：ＣＤＬ処理部  １０４：ガンマ処理部
１０６，８０６，１００６：パラメータ変更部
【図１】
0006415289.tif 000002
【図２】
0006415289.tif 000003
【図３】
0006415289.tif 000004
【図４】
0006415289.tif 000005
【図５】
0006415289.tif 000006
【図６】
0006415289.tif 000007
【図７】
0006415289.tif 000008
【図８】
0006415289.tif 000009
【図９】
0006415289.tif 000010
【図１０】
0006415289.tif 000011
【図１１】
0006415289.tif 000012